(57)【要約】【課題】内蔵する回路基板の種類を確実に確認できる電気接続箱の提供。【解決手段】ハウジング２内に、回路基板１２を有する接続部本体３が収容された電気接続箱１。接続部本体３に、識別情報表示６が形成されている。ハウジング２には、識別情報表示６を視認可能な開口部７と、開口部７の周縁部７ａから回路基板１２に向けて延出する筒状延出部８が形成されている。接続部本体３には、識別情報表示６を覆うカバー部材９が設けられている。カバー部材９は、識別情報表示６を透視可能に形成され、かつ筒状延出部８の延出端８ａと接続部本体３との隙間１０を塞ぐように形成されている。【選択図】図１
2010074985.tif 000002
【特許請求の範囲】
【請求項１】
ハウジング（２）内に、回路基板（１２）を有する接続部本体（３）が収容された電気接続箱であって、
前記接続部本体に、前記回路基板に応じた識別情報表示（６）が形成され、
前記ハウジングには、前記識別情報表示を視認可能な開口部（７）と、前記開口部を囲んで前記回路基板に向けて延出する筒状延出部（８）が形成され、
前記接続部本体には、前記識別情報表示を覆うシート状のカバー部材（９）が設けられ、
前記カバー部材は、前記識別情報表示を透視可能に形成され、かつ前記筒状延出部の延出端（８ａ）と前記接続部本体との隙間（１０）を塞ぐように形成されていることを特徴とする電気接続箱（１）。
【請求項２】
前記カバー部材は、厚さ方向に弾性変形可能な材料からなることを特徴とする請求項１に記載の電気接続箱。
【請求項３】
ハウジング（２）内に、回路基板（１２）を有する接続部本体（３）が収容された電気接続箱であって、
前記接続部本体に、前記回路基板に応じた識別情報表示（１６）が形成され、
前記ハウジングには、前記識別情報表示を視認可能な開口部（７）と、前記開口部を囲んで前記回路基板に向けて延出する筒状延出部（８）が形成され、
前記識別情報表示は、シート状に形成され、前記筒状延出部の延出端（８ａ）と前記接続部本体との隙間（１０）を塞ぐように形成されていることを特徴とする電気接続箱（３１）。
【請求項４】
前記識別情報表示は、厚さ方向に弾性変形可能な材料からなることを特徴とする請求項３に記載の電気接続箱。
【発明の詳細な説明】
【技術分野】
【０００１】
本発明は、例えば自動車のワイヤーハーネスの分岐接続などに使用可能な電気接続箱に関する。
【背景技術】
【０００２】
自動車等においてワイヤーハーネスを種々の電装品に分岐接続されるのに用いられる電気接続箱は、分岐接続点を一箇所に集中させ、配線を合理的かつ経済的に分岐接続するものである（例えば特許文献１参照）。
電気接続箱は、ワイヤーハーネスを内部回路にコネクタ接続できるように構成されている。
電気接続箱内の回路は、金属板からなるバスバーによって形成したものが一般的であるが、近年では、回路の一部または全部を配線基板（回路基板）で構成することが提案されている。
回路基板は、適用先、例えば自動車の車種やグレード（具体的には、電装品の数や性能の違いなど）に合わせて多種類を用意するのが容易であるという利点がある。
回路基板を識別するための情報は、電気接続箱のハウジングの外面に貼付されたステッカーなどに表示される。
【特許文献１】特開２００７−４３８１０号公報
【発明の開示】
【発明が解決しようとする課題】
【０００３】
しかしながら、従来の電気接続箱では、識別情報表示となるステッカー等の脱落や汚損によって、内蔵する回路基板の種類を確認することができなくなるおそれがあった。
本発明は、前記事情に鑑みてなされたもので、内蔵する回路基板の種類を外部から確実に確認できる電気接続箱の提供を目的とする。
【課題を解決するための手段】
【０００４】
本発明の請求項１にかかる電気接続箱は、ハウジング内に、回路基板を有する接続部本体が収容された電気接続箱であって、前記接続部本体に、前記回路基板に応じた識別情報表示が形成され、前記ハウジングには、前記識別情報表示を視認可能な開口部と、前記開口部を囲んで前記回路基板に向けて延出する筒状延出部が形成され、前記接続部本体には、前記識別情報表示を覆うシート状のカバー部材が設けられ、前記カバー部材は、前記識別情報表示を透視可能に形成され、かつ前記筒状延出部の延出端と前記接続部本体との隙間を塞ぐように形成されていることを特徴とする。
本発明の請求項２にかかる電気接続箱は、請求項１において、前記カバー部材が、厚さ方向に弾性変形可能な材料からなることを特徴とする。
本発明の請求項３にかかる電気接続箱は、ハウジング内に、回路基板を有する接続部本体が収容された電気接続箱であって、前記接続部本体に、前記回路基板に応じた識別情報表示が形成され、前記ハウジングには、前記識別情報表示を視認可能な開口部と、前記開口部を囲んで前記回路基板に向けて延出する筒状延出部が形成され、前記識別情報表示は、シート状に形成され、前記筒状延出部の延出端と前記接続部本体との隙間を塞ぐように形成されていることを特徴とする。
本発明の請求項４にかかる電気接続箱は、請求項３において、前記識別情報表示は、厚さ方向に弾性変形可能な材料からなることを特徴とする。
【発明の効果】
【０００５】
本発明によれば、ハウジングに、識別情報表示を視認できる開口部が形成されているので、回路基板の種類を外部から確実に確認できる。
接続部本体には、筒状延出部の延出端と接続部本体との隙間を塞ぐカバー部材が設けられているため、異物の侵入を阻止し、回路基板における導電層の短絡などのトラブルを防ぐとともに、識別情報表示を保護し、汚れの付着や破損を防止できる。
カバー部材は、シート状であるため光の透過性は良好であり、識別情報表示の確認が容易である。
また、識別情報表示は、ハウジングに収容された接続部本体に形成されているため、外力による脱落や汚損が起こりにくい。
従って、回路基板が多種類にわたる場合でも、確実な品番管理が可能となる。
また、カバー部材は、樹脂シートなどからなる安価なものを使用できるため低コスト化を図ることができる。さらに、接続部本体への貼り付け等により容易に設置できる。
【発明を実施するための最良の形態】
【０００６】
以下、図１および図２を参照して本発明の実施形態を説明する。
図１は、本発明にかかる電気接続箱の第１の例である電気接続箱１の要部を模式的に示す断面図である。図２は、電気接続箱１の概略構成を示す模式図である。
図２に示すように、電気接続箱１は、ハウジング２内に接続部本体３が収容された構成であり、接続部本体３は、基板部４と、基板部４表面に設けられた端子部５とを有する。
【０００７】
図示例の基板部４は、絶縁板１１の両面に、それぞれ回路基板１２、１２が設けられた構成とされている。
回路基板１２は、例えばプリント配線板であり、ポリイミド、ガラスエポキシ等の絶縁材料からなる基材１３の表面に、銅合金などからなる導電層１４が、用途に応じた配線をなすように形成されている。
導電層１４は、金属層を形成した後、エッチングなどにより所定の配線パターンをなすように形成することができる。なお、導電層１４の一部を、打ち抜きにより作製される金属板（バスバー）で構成することも可能である。
【０００８】
図１に示すように、回路基板１２の表面１２ａには、回路基板１２の種類に応じた識別情報表示６が形成されている。
識別情報表示６は、例えば樹脂や紙などからなるシート体であって、表面１２ａに貼り付け固定されている。
識別情報表示６には、文字や図形等からなる識別情報が印刷等により視認可能に記入されている。識別情報は、例えばこの回路基板１２が適用される自動車の車種やグレードを示す文字やバーコードなどとすることができる。識別情報は、具体的には、例えば電装品の数や性能の違いなどを示すものである。
【０００９】
なお、識別情報表示６は、識別情報を表示するものであればよく、その態様は図示例に限定されず、例えば識別情報を印刷などにより接続部本体３に直接形成することによって識別情報表示としてもよい。
識別情報表示６の形成位置は、回路基板１２に限らず、接続部本体３の他の部分であってもよい。
【００１０】
図２に示すように、端子部５は、銅合金などの金属板からなり、回路基板１２の導電層１４に接続されており、回路基板１２の表面から突出して形成されている。端子部５は、半田付けなどにより回路基板１２に実装できる。
【００１１】
ハウジング２は、上側ハウジング１９（カバーハウジング）と、下側ハウジング２０（ベースハウジング）とを組み合わせた構成とされている。
上側ハウジング１９は、合成樹脂などからなり、基板部４にほぼ平行な上板部２１と、その周縁から垂下する側板部２２と、上板部２１の上面から上方に突出して形成された筒状のコネクタ接続部２３と有し、接続部本体３を収容できるように形成されている。
コネクタ接続部２３内に相当する部分の上板部２１には、端子部５が挿通する挿通孔２４が形成されており、コネクタ接続部２３に挿入されたプラグコネクタ（図示略）が端子部５に接続できるようになっている。
【００１２】
下側ハウジング２０は、下板部２６と、その下面から下方に突出して形成された筒状のコネクタ接続部２７とを有し、コネクタ接続部２７内に相当する部分の下板部２６には、端子部５が挿通する挿通孔２８が形成されており、コネクタ接続部２７に挿入されたプラグコネクタ（図示略）が端子部５に接続できるようになっている。
【００１３】
図１に示すように、ハウジング２には、回路基板１２の識別情報表示６に相当する位置に、開口部７が形成されている。図示例では、開口部７は、上側ハウジング１９の上板部２１に形成されている。
開口部７は、識別情報を確認するためのもので、識別情報表示６に形成された識別表示の必要箇所または全体を視認できるような大きさおよび形状となるよう形成されている。開口部７の形状は特に限定されず、矩形、円形などとしてよい。開口部７は、導電層１４がない位置に形成するのが好ましい。
図示例では、開口部７の周縁内面７ｂは、下方（回路基板１２に近づく方向）に向けて内方（縮径方向）に傾斜した傾斜面となっている。
【００１４】
上板部２１には、開口部７の周縁部７ａから下方に（すなわち回路基板１２に向けて）延出する筒状延出部８が形成されている。筒状延出部８は、上板部２１に対しほぼ垂直とすることができる。
筒状延出部８は、開口部７の形状に合わせて、矩形筒状、円筒状などとすることができる。筒状延出部８の延出端８ａは、回路基板１２の近傍に達していることが望ましい。
なお、図示例では、筒状延出部８は周縁部７ａに形成されているが、筒状延出部８は開口部７を囲む位置から延出して形成されていればよく、周縁部７ａより外方の位置に形成することもできる。
【００１５】
回路基板１２の表面１２ａには、識別情報表示６を覆うカバー部材９が設けられている。
カバー部材９は、樹脂などからなるシート状体であって、所定の厚みをもって形成されており、筒状延出部８の延出端８ａと回路基板１２との隙間１０に達しており、この隙間１０を全周にわたって塞いでいる。
図示例では、カバー部材９の周縁部９ａは筒状延出部８の延出端８ａの外周縁より外方に達している。
【００１６】
カバー部材９は、識別情報表示６を透視できる程度の透明性を有する材料からなる。カバー部材９は、シート状であるため光の透過性は良好である。
また、カバー部材９には、厚さ方向に弾性変形可能な材料を用いると、延出端８ａと回路基板１２との距離のばらつきに対応して、確実に隙間１０を塞ぐことができる。この材料としては、例えば塩化ビニル樹脂が使用できる。
カバー部材９は、延出端８ａと回路基板１２の間で厚さ方向に圧縮変形した状態であってもよい。
【００１７】
カバー部材９は、隙間１０を全周にわたって塞ぐことができる形状であればよく、例えば円形、矩形状等とすることができる。カバー部材９は、筒状延出部８の横断面形状に即した形状が好ましい。
カバー部材９は、識別情報表示６に密着して形成することができ、表面１２ａに貼り付けられて固定されていることが好ましい。
また、カバー部材９は、樹脂シートなどからなる安価なものを使用できるため、低コスト化を図ることができる。さらに、回路基板１２への貼り付け等により容易に設置できる。
【００１８】
この電気接続箱１では、ハウジング２に、識別情報表示６を視認できる開口部７が形成されているので、回路基板１２の種類を外部から確実に確認できる。
回路基板１２には、筒状延出部８の延出端８ａと回路基板１２との隙間１０を塞ぐカバー部材９が設けられているため、開口部７から入った塵埃などの異物が回路基板１２上で拡がるのを防ぐことができる。よって、回路基板１２において異物を原因とする導電層１４の短絡などのトラブルを防ぐことができる。
また、カバー部材９によって識別情報表示６を保護し、汚れの付着や破損を防止できる。
カバー部材９は、シート状であるため光の透過性は良好であり、識別情報表示６の確認は容易である。
識別情報表示６は、ハウジング２に収容された回路基板１２に形成されているため、外力による脱落や汚損が起こりにくい。
従って、回路基板が多種類にわたる場合でも、確実な品番管理が可能となる。
【００１９】
なお、開口部７の形成位置は、識別情報表示６を確認できるものであれば、上板部２１に限らず、側板部２２であってもよい。また、ハウジング２の他の位置、例えば下側ハウジング２０の下板部２６に開口部７を形成することもできる。
また、電気接続箱１では、カバー部材９と識別情報表示６とを合わせて識別情報表示と見なすこともできる。
【００２０】
図３は、本発明の電気接続箱の第２の例を示すものである。以下の説明において、図１に示す電気接続箱１との共通の構成については同一符号を付してその説明を省略する。
電気接続箱３１は、識別情報表示６に代えて識別情報表示１６が用いられている点、およびカバー部材９を備えていない点で、図１に示す電気接続箱１と異なる。
【００２１】
回路基板１２の表面１２ａに形成された識別情報表示１６は、樹脂などからなるシート状体であって、文字や図形等からなる識別情報が印刷等により視認可能に記入されている。
識別情報表示１６は、所定の厚みをもって形成されており、筒状延出部８の延出端８ａと回路基板１２との隙間１０に達しており、この隙間１０を全周にわたって塞いでいる。
図示例では、識別情報表示１６の周縁部１６ａは筒状延出部８の延出端８ａの外周縁より外方に達している。
【００２２】
識別情報表示１６には、厚さ方向に弾性変形可能な材料を用いると、延出端８ａと回路基板１２との距離のばらつきに対応でき、確実に隙間１０を塞ぐことができる。
識別情報表示１６は、延出端８ａと回路基板１２の間で厚さ方向に圧縮変形した状態であってもよい。
識別情報表示１６は、隙間１０を全周にわたって塞ぐことができる形状であればよいが、筒状延出部８の横断面形状に即した形状が好ましく、例えば円形、矩形状等とすることができる。
【００２３】
電気接続箱３１では、上述の電気接続箱１と同様に、ハウジング２に、識別情報表示１６を視認できる開口部７が形成されているので、回路基板１２の種類を外部から確実に確認できる。
識別情報表示１６は、筒状延出部８の延出端８ａと回路基板１２との隙間１０を塞ぐように形成されているので、塵埃などの異物が回路基板１２上で拡がるのを防止し、回路基板１２における異物を原因とする導電層１４の短絡などのトラブルを防ぐことができる。
識別情報表示６は、ハウジング２に収容された回路基板１２に形成されているため、外力により脱落したり汚損することはない。
従って、回路基板が多種類にわたる場合でも、確実な品番管理が可能となる。
【００２４】
さらに、電気接続箱３１では、識別情報表示１６が、隙間１０を塞ぐ封止材としての機能と識別表示の機能を併せ持つため、部品点数を少なくし、構造を簡略化できる。従って、組み立ての容易化および低コスト化を図ることができる。
【図面の簡単な説明】
【００２５】
【図１】本発明の電気接続箱の一例の要部を模式的に示す断面図である。
【図２】本発明の電気接続箱の一例の構造を示す概略構成図である。
【図３】本発明の電気接続箱の他の例の要部を模式的に示す断面図である。
【符号の説明】
【００２６】
１、３１・・・電気接続箱、２・・・ハウジング、３・・・接続部本体、６、１６・・・識別情報表示、７・・・開口部、７ａ・・・周縁部、８・・・筒状延出部、８ａ・・・延出端、９・・・カバー部材、１０・・・隙間、１２・・・回路基板。
【図１】
2010074985.tif 000003
【図２】
2010074985.tif 000004
【図３】
2010074985.tif 000005